【手続補正書】
【提出日】平成23年4月26日(2011.4.26)
【手続補正１】
【補正対象書類名】特許請求の範囲
【補正対象項目名】全文
【補正方法】変更
【補正の内容】
【特許請求の範囲】
【請求項１】
繊維分類デバイスに対して供給手段によって供給される紡織繊維を有する繊維束を繊維分類または繊維選択する装置であって、前記繊維束の自由端から所定の距離の所で前記繊維束を挟持する挟持デバイスが設けられ、挟持されていない構成要素を前記自由端からゆるめ、除去するために、前記繊維束の挟持部位から前記自由端にコーミング作用を生じさせる機械的手段が設けられ、コーミングされた繊維材料を除去するために、スライバ形成要素を備える少なくとも１つの取出し手段が設けられ、スライバ形成要素の下流が牽伸システムとなっている装置において、
前記供給手段（８；１０，１１）の下流に、回転可能に取り付けられ、中断することなく回転する少なくとも２つのローラ（１２，１３）が設けられ、該ローラ（１２，１３）には、前記繊維束（１６；３０1〜３０3）用の挟持デバイス（１８，１９，２０；２１，２２，２３）が設けられ、該挟持デバイス（１８，１９，２０；２１，２２，２３）は、前記ローラの外周の領域に互いに間隔をおいて分布させられており、少なくとも１つのスライバ形成要素（２８；２８ａ，２８ｂ；２９，２９ａ，２９ｂ）と牽伸システム（５０）との間で、コーミングされた繊維材料（１７；１７ａ，１７ｂ，１７’，１７’’，１７1）が、断面の幅（ａ）が高さ（ｂ）よりも大きい繊維構造体の形態で存在していることを特徴とする装置。
【請求項２】
前記繊維分類デバイスは、コーミング・デバイスであり、コーミングのために前記繊維束を繊維分類または繊維選択することを特徴とする、請求項１に記載の装置。
【請求項３】
前記挟持されていない構成要素は、短い繊維、ネップ、またはごみであることを特徴とする、請求項１または２に記載の装置。
【請求項４】
前記繊維構造体は、平坦なスライバであることを特徴とする、請求項１から３のいずれか１項に記載の装置。
【請求項５】
コーミングされた繊維材料が、前記取出し手段で、または、前記取出し手段の後で分割され、各部分が前記スライバ形成要素を通過してそれぞれ繊維スライバを形成することを特徴とする、請求項１から４のいずれか１項に記載の装置。
【請求項６】
前記取出し手段は継ぎ合わせローラであることを特徴とする、請求項５に記載の装置。
【請求項７】
前記スライバ形成要素と前記牽伸システムとの間に、繊維スライバの幅を引き伸ばす装置が設けられていることを特徴とする、請求項１から６のいずれか１項に記載の装置。
【請求項８】
コーミングされた繊維材料を、本質的に薄い断面を有する繊維構造体へと形成し直すデバイスが、前記取出し手段の後に設けられていることを特徴とする、請求項１から７のいずれか１項に記載の装置。
【請求項９】
ウェブの分割が、継ぎ合わせローラ上で行われることを特徴とする、請求項１から８のいずれか１項に記載の装置。
【請求項１０】
ウェブの分割が、継ぎ合わせローラの直ぐ下流で行われることを特徴とする、請求項１から８のいずれか１項に記載の装置。
【請求項１１】
継ぎ合わせローラが、分離要素を有していることを特徴とする、請求項１から１０のいずれか１項に記載の装置。
【請求項１２】
前記分離要素は、前記継ぎ合わせローラ上に取り付けられた分離ブレードであることを特徴とする、請求項１１に記載の装置。
【請求項１３】
ウェブの分割後に形成された少なくとも２つの繊維スライバが、前記牽伸システム内へ、そして前記牽伸システム内を通されることを特徴とする、請求項１から１２のいずれか１項に記載の装置。
【請求項１４】
湾曲させられた案内手段が、１つまたは複数の繊維スライバの断面に影響を与えるために設けられていることを特徴とする、請求項１から１３のいずれか１項に記載の装置。
【請求項１５】
横方向の制限のための要素が、案内手段に結び付けられていることを特徴とする、請求項１から１４のいずれか１項に記載の装置。
【請求項１６】
ウェブの幅方向の、少なくとも１つのエクスパンダが、前記牽伸システムの上流に配置されていることを特徴とする、請求項１から１５のいずれか１項に記載の装置。
【請求項１７】
案内要素の、繊維構造体との接触面が、凸状に湾曲させられていることを特徴とする、請求項１から１６のいずれか１項に記載の装置。
【請求項１８】
前記スライバ形成要素の送り出しローラの円周面の形状が、繊維スライバの幅を引き伸ばすのに用いられることを特徴とする、請求項１から１７のいずれか１項に記載の装置。
【請求項１９】
カレンダローラの円周面の形状が、繊維スライバの幅を引き伸ばすのに用いられることを特徴とする、請求項１から１８のいずれか１項に記載の装置。
【請求項２０】
送り出しローラまたはカレンダローラが、凸状に形成されていることを特徴とする、請求項１から１９のいずれか１項に記載の装置。
【請求項２１】
前記送り出しローラまたは前記カレンダローラは、樽型ローラであることを特徴とする、請求項２０に記載の装置。
【請求項２２】
前記スライバ形成要素がスライバファンネルを有しており、該スライバファンネルの出口領域から、平坦な繊維構造体が排出されることを特徴とする、請求項１から２１のいずれか１項に記載の装置。
【請求項２３】
前記スライバ形成要素がスライバファンネルを有しており、該スライバファンネルの出口領域が、実質的に長方形の断面を有していることを特徴とする、請求項１から２２のいずれか１項に記載の装置。
【請求項２４】
スライバファンネルの出口領域が、送り出しローラ間のローラニップ内に配置されていることを特徴とする、請求項１から２３のいずれか１項に記載の装置。
【請求項２５】
ウェブファンネルの出口が、縁が鋭くなった構成であることを特徴とする、請求項１から２４のいずれか１項に記載の装置。
【請求項２６】
ウェブファンネルの出口が、スロット状の構成であることを特徴とする、請求項１から２４のいずれか１項に記載の装置。
【請求項２７】
スロット状の出口が複数の横方向領域に配置されていることを特徴とする、請求項１から２６のいずれか１項に記載の装置。
【請求項２８】
繊維構造体が、断面が実質的に長方形の状態で、前記牽伸システム内へと、そして前記牽伸システム内を通されることを特徴とする、請求項１から２７のいずれか１項に記載の装置。
【請求項２９】
スライバの形成部に続いて、スタッファーボックスが、前記牽伸システムの上流または下流に設けられていることを特徴とする、請求項１から２８のいずれか１項に記載の装置。
【請求項３０】
前記繊維構造体のための少なくとも１つの搬送要素が、前記スライバ形成要素と前記牽伸システムの間に設けられていることを特徴とする、請求項１から２９のいずれか１項に記載の装置。
【請求項３１】
少なくとも２つの前記取出し手段と、少なくとも２つの前記スライバ形成要素が設けられていることを特徴とする、請求項１から３０のいずれか１項に記載の装置。
【請求項３２】
回転可能に取り付けられ、中断することなく回転する少なくとも２つの前記ローラ（１２；１３）は、ターニングロータ（１２）とコーミングロータ（１３）を有することを特徴とする、請求項１から３１のいずれか１項に記載の装置。
【請求項３３】
ターニングロータ（１２）とコーミングロータ（１３）の回転方向が、互いに反対方向（それぞれ１２ａと１３ａ）であることを特徴とする、請求項３２に記載の装置。
【請求項３４】
供給された繊維束（３０1，３０2）を吸い込むために、少なくとも１つの吸い込みデバイス（３１，３２，３３，３４；３５，３６，３７，３８）が、前記供給手段（８；１０，１１；２７ａ，２７ｂ，２８ａ，２８ｂ）による第１のローラ（１２）上への繊維束（３０1）の移送領域、および、前記第１のローラ（１２）から第２のローラ（１３）上への繊維材料（３０2）の取出し領域の少なくとも一方で、前記挟持デバイス（１８，１９，２０；２１，２２，２３）に結び付けられていることを特徴とする、請求項１から３３のいずれか１項に記載の装置。